(57)【要約】    【課題】  コーンとコーンベッドとを一体化できると共に、必要に応じて分離することもできるコーンを提供する。    【解決手段】  下端の基板３にコーンベッド４を重ね合わせ、基板３とコーンベッド４を連通する穴に挿通した止め具５により基板３にコーンベッド４を結合させると共に、止め具５による結合を解除することにより基板３からコーンベッド４を取り外せるようにした。これにより、コーンとコーンベッドを別々に扱う場合と比較して運搬、設置、撤去等が容易で取扱いの手間を省くことができる。【選択図】      図１
0003120706.tif 000002
【実用新案登録請求の範囲】
【請求項１】
コーン本体下端の基板にコーンベッドを重ね合わせ、基板とコーンベッドを連通する穴に挿通した止め具により基板にコーンベッドを結合させると共に、止め具による結合を解除することにより基板からコーンベッドを取り外せるように構成された標識用コーン。
【請求項２】
上記止め具が、ラチェット部を有する突片を備えた雄部材と、ラチェット部を有する受け片を備えた雌部材とで構成され、雄部材の突片を雌部材に挿入してラチェット部同士を噛み合わせることにより雄部材と雌部材が相互に結合され、雌部材の受け片あるいは雄部材の突片を変形させてラチェット部同士の噛み合わせを解除することにより、雄部材と雌部材の結合状態が解かれるように構成されている請求項１記載の標識用コーン。
【請求項３】
請求項１記載の標識用コーンに用いられる止め具であって、ラチェット部を有する突片を備えた雄部材と、ラチェット部を有する受け片を備えた雌部材とで構成され、雄部材の突片を雌部材に挿入してラチェット部同士を噛み合わせることにより雄部材と雌部材が相互に結合され、雌部材の受け片あるいは雄部材の突片を変形させてラチェット部同士の噛み合わせを解除することにより、雄部材と雌部材の結合状態が解かれるように構成されているコーン用止め具。
【考案の詳細な説明】
【技術分野】
【０００１】
この考案は、工事現場などに設置される標識用コーンとそのコーンに用いられる止め具に関する。
【背景技術】
【０００２】
道路における工事現場などにおいては、通行を規制したり注意を促したりするために赤色や青色などの標識用コーン（以下、単に「コーン」という）が設置される。このコーンは比較的軽いプラスチックの成形品であるため、外形が四角で中央に丸い穴を設けた形状で重い材料で構成された重り用のコーンベッドをコーンの上から嵌めて下端の基板上に載せ、コーンが風などで移動したり倒れたりしないで安定した状態で設置されるようにしている。このように、コーンとは別体のコーンベッドが必要なため、設置の際にはコーンとコーンベッドをそれぞれ運搬して現場で両者を組み合わせる必要があり、また撤去の際にもそれぞれを回収して運搬する必要があるため、設置と撤去及び運搬や保管に手間がかかっていた。
【０００３】
このようなコーンの構造はごく一般的なものであるため、特に関連する特許文献は見出せなかったが、単なる参考として下記特許文献１を例示する。
【特許文献１】特開２００１−２４８１１８
【考案の開示】
【考案が解決しようとする課題】
【０００４】
この考案はこれらの点に着目し、コーンとコーンベッドとを一体化できると共に、必要に応じて分離することもできて設置や撤去が容易であると共に、運搬や保管に要する手間を削減できるコーンを提供することを課題としてなされたものである。
【課題を解決するための手段】
【０００５】
上記の課題を達成するために、この考案では、コーン本体下端の基板にコーンベッドを重ね合わせ、基板とコーンベッドを連通する穴に挿通した止め具により基板にコーンベッドを結合させると共に、止め具による結合を解除することにより基板からコーンベッドを取り外せるように構成している。
【０００６】
この考案で用いられる止め具は、ラチェット部を有する突片を備えた雄部材と、ラチェット部を有する受け片を備えた雌部材とで構成され、雄部材の突片を雌部材に挿入してラチェット部同士を噛み合わせることにより雄部材と雌部材が相互に結合され、雌部材の受け片あるいは雄部材の突片を変形させてラチェット部同士の噛み合わせを解除することにより、雄部材と雌部材の結合状態が解かれるように構成されている。
【考案の効果】
【０００７】
この考案によれば、あらかじめ基板とコーンベッドを一体化しておいたコーンを工事現場などに設置することができるので、従来のようにコーンとコーンベッドを別々に扱う場合と比較して運搬、設置、撤去等が容易で取扱いの手間を省くことができ、コーンが倒れた場合でもコーンベッドが外れることはない。また、ラチェット部同士の噛み合わせを解除すれば、雄部材を雌部材から外してコーンベッドをコーンの基板から外すことができるので、例えばコーンが破損したり汚れたりした場合でも、コーンから外したコーンベッドはそのまま別のコーンに取り付けて再利用することができ、あるいは必要に応じてコーンとコーンベッドの運搬や保管を別々に行うこともできるので便利である。
【考案を実施するための最良の形態】
【０００８】
以下、この考案の一実施例について説明する。
【実施例】
【０００９】
図において、１はコーン、２はコーン本体、３は基板、４はコーンベッド、５は止め具を示している。
【００１０】
コーン１は一般的に知られているものと同様にコーン本体２の下端に基板３が形成されている形状であり、基板３は四角い平板状で４箇所のコーナ部には上下に貫通した穴３ａをそれぞれ設けてある。コーンベッド４は図２に示すように基板３の下面に重ね合わせて使用されるので、基板３に対応した寸法と形状を備えており、基板３の穴３ａと一致する位置に上下に貫通した穴４ａを設けてある。
【００１１】
図３は止め具５の具体的な構造を示したもので、止め具５はプラスチックの成形品からなる雄部材６と雌部材７で構成されている。雄部材６は頭部６ａの下面にやや偏心させて突片６ｂを形成してあり、突片６ｂの片側には長手方向に沿ってラチェット部６ｃを設けてある。また雌部材７は筒状部７ａの下端につば部７ｂを形成し、筒状部７ａの内部には雄部材６の突片６ｂに対応させて受け片７ｃを突設してある。この受け片７ｃの片側には突片６ｂのラチェット部６ｃに対応させて長手方向に沿ってラチェット部７ｄをを設けてあり、雌部材７の受け片７ｃは筒状部７ａの内部の上部壁面から筒状部７ａの中心線方向にやや傾斜して設けられている。
【００１２】
これらの雄部材６と雌部材７はちょうどボルトとナットのような関係の部材であり、雄部材６の突片６ｂを雌部材７の筒状部７ａに上から挿入すると、受け片７ｃのラチェット部７ｄに突片６ｂのラチェット部６ｃが噛み合い、雄部材６は雌部材７に結合される。受け片７ｃと突片６ｂの長さは、雄部材６を最終位置まで押し込んだ結合状態で受け片７ｃの先端が突片６ｂの先端よりやや突出するような寸法に選定されている。従って、結合状態において受け片７ｃの先端部分を押してラチェット部７ｄがラチェット部６ｃから離れる方向に変形させると、ラチェット部７ｄとラチェット部６ｃの噛み合いが解除され、雄部材６と雌部材７の結合状態が解かれて雄部材６を雌部材７から抜くことができる。突片６ｂや受け片７ｃ及びこれらのラチェット部６ｃ、７ｄの具体的な形状と寸法は、上述のような機能が達成されるように適切に選定されている。
【００１３】
コーン１の基板３にコーンベッド４を取り付けるには、図２に示すように基板３の下面にコーンベッド４を重ね合わせ、位置が一致して上下に連通している穴３ａ、４ａに例えば下から止め具５の雌部材７を挿入し、雄部材６の突片６ｂを向きを合わせながら雌部材７の筒状部７ａに上から挿入し、受け片７ｃのラチェット部７ｄに突片６ｂのラチェット部６ｃを噛み合わせればよく、これで雄部材６が雌部材７に結合されて基板３へのコーンベッド４の取り付けが完了する。図１はこのようにして基板３にコーンベッド４を取り付けた状態のコーン１を示したものであり、この状態で工事現場などへの運搬、設置、撤去等を行えるので、容易に取り扱うことができる。なお、雌部材７の受け片７ｃを変形させてラチェット部７ｄとラチェット部６ｃの噛み合いを解除すると、雄部材６を雌部材７から抜いてコーンベッド４を基板３から外すことができる。
【産業上の利用可能性】
【００１４】
この考案の標識用コーンとそのコーンに用いられる止め具は、道路における工事現場などにおいて通行を規制したり注意を促したりする用途などに広く利用できる。
【図面の簡単な説明】
【００１５】
【図１】この考案の一実施例の斜視図である。
【図２】同上の要部の断面図である。
【図３】同上における止め具の一部を断面で示した側面図である。
【符号の説明】
【００１６】
１  標識用コーン
２  コーン本体
３  基板
３ａ  穴
４  コーンベッド
４ａ  穴
５  止め具
６  雄部材
６ｂ  突片
６ｃ  ラチェット部
７  雌部材
７ｃ  受け片
７ｄ  ラチェット部
【図１】
0003120706.tif 000003
【図２】
0003120706.tif 000004
【図３】
0003120706.tif 000005